(57)【要約】【課題】画像データが安全に保管されているか否かを簡単に判別することができる表示プログラムの提供。【解決手段】コンピュータを、１以上の記録先に記録された画像データを特定するための保管情報を保管情報ファイルに記録する保管情報記録手段又は該保管情報を取得する保管情報取得手段、保管情報に基づいて、画像データが安全に保管されているかを段階的に示す保管レベルを設定する保管レベル設定手段、画像データに基づく画像やフォルダ、記録先などの画像データに関連する情報を表示手段に表示させる際に、該情報に対応付けて、該画像データに対して設定された保管レベルを表示させる表示制御手段として機能させる。これにより、画像データの保管状態を認識することができるため、画像データが安全に保管されているか否かを簡単に判別することができる。【選択図】図１６
2007025858.tif 000002
【特許請求の範囲】
【請求項１】
コンピュータを、
１以上の記録先に記録された画像データを特定するための保管情報に基づいて、前記画像データが安全に保管されているかを段階的に示す保管レベルを設定する保管レベル設定手段、
前記画像データに関連する情報を表示手段に表示させる際に、該情報に対応付けて、前記画像データに対して設定された前記保管レベルを表示させる表示制御手段、として機能させることを特徴とする表示プログラム。
【請求項２】
コンピュータを、
１以上の記録先に記録された画像データを特定するための保管情報を所定のファイルに記録する保管情報記録手段、
前記所定のファイルに記録された前記保管情報に基づいて、前記画像データが安全に保管されているかを段階的に示す保管レベルを設定する保管レベル設定手段、
前記画像データに関連する情報を表示手段に表示させる際に、該情報に対応付けて、前記画像データに対して設定された前記保管レベルを表示させる表示制御手段、として機能させることを特徴とする表示プログラム。
【請求項３】
コンピュータを、
１以上の記録先に記録された画像データを特定するための保管情報を取得する保管情報取得手段、
取得した前記保管情報に基づいて、前記画像データが安全に保管されているかを段階的に示す保管レベルを設定する保管レベル設定手段、
前記画像データに関連する情報を表示手段に表示させる際に、該情報に対応付けて、前記画像データに対して設定された前記保管レベルを表示させる表示制御手段、として機能させることを特徴とする表示プログラム。
【請求項４】
前記保管レベル設定手段では、前記画像データが記録された記録先の種別に応じて、前記保管レベルを設定することを特徴とする請求項１乃至３のいずれか一に記載の表示プログラム。
【請求項５】
前記保管情報は、各々の前記記録先における前記画像データの記録場所と、各々の前記記録先における前記画像データのファイル名とを含むことを特徴とする請求項１乃至４のいずれか一に記載の表示プログラム。
【請求項６】
前記画像データに関連する情報とは、前記画像データに基づく画像、前記画像データが格納されたフォルダを特定する情報、又は、前記画像データが記録された記録先を特定する情報のいずれかを含むことを特徴とする請求項１乃至５のいずれか一に記載の表示プログラム。
【請求項７】
前記１以上の記録先は、記録媒体、ハードディスク、ｗｅｂ上のサーバの中から選択されることを特徴とする請求項１乃至６のいずれか一に記載の表示プログラム。
【発明の詳細な説明】
【技術分野】
【０００１】
本発明は、画像データに関する情報を表示するための表示プログラムに関する。
【背景技術】
【０００２】
近年、デジタルカメラの低価格化、多機能化に伴ってデジタルカメラで写真を撮影するユーザが増加している。デジタルカメラでは、撮影した写真の画像データを内部のメモリやデジタルカメラ用メディアに一時的に保存しておき、コンピュータ機器などを用いて、定期的にデジタルカメラやメディアから画像データを読み取り、読み取った画像データをＣＤ−ＲやＤＶＤ−Ｒなどの記録媒体に書き込むことにより、写真画像を電子アルバムとして保管する（例えば、下記特許文献１参照）。
【０００３】
また、デジタルカメラやメディアから読み取った画像データを単に記録媒体に記録するのではなく、これらの画像データをＤＶＤプレーヤやＤＶＤレコーダ、ＨＤＤレコーダ、ゲーム機などの家電機器でスライドショーとして再生するためのデータ（以下、家電機器用データと呼ぶ。）を生成し、画像データと家電機器用データとをセットにして記録媒体に書き込んだり、これらの画像データと、該画像データをコンピュータ機器でスライドショーとして再生するためのアプリケーションとをセットにして記録媒体に書き込むこともできる。
【０００４】
【特許文献１】特開２００４−２０１１１３号公報（第１０−１８頁、第１図）
【発明の開示】
【発明が解決しようとする課題】
【０００５】
ここで、写真撮影で得られた画像データは永続的に利用されるものであるため安全に保管する必要があるが、例えば、画像データが記録された記録媒体を紛失してしまう場合があり、また、時間の経過に伴って記録媒体が劣化したり、変形したり、取り扱いの際に汚れが付着したりキズが入るなどによって画像データの読み取りができなくなる場合もある。
【０００６】
そこで、画像データを安全に保管するために、該画像データを記録媒体に記録すると共に、記録媒体に記録された画像データの少なくとも一部をコンピュータ機器のハードディスクや通信ネットワークで接続されるサーバなどにバックアップする方法が用いられるが、表示プログラムを用いて所定の記録先に記録された画像データを表示する際に、該画像データが一カ所のみに記録されているのか、又は、複数箇所に記録されているのかが分からないため、画像データが安全に保管されているか否かを判別することができないという問題があった。
【０００７】
本発明は、上記問題点に鑑みてなされたものであって、その主たる目的は、画像データが安全に保管されているか否かを簡単に判別することができる表示プログラムを提供することにある。
【課題を解決するための手段】
【０００８】
上記目的を達成するため、本発明の表示プログラムは、コンピュータを、１以上の記録先に記録された画像データを特定するための保管情報に基づいて、前記画像データが安全に保管されているかを段階的に示す保管レベルを設定する保管レベル設定手段、前記画像データに関連する情報を表示手段に表示させる際に、該情報に対応付けて、前記画像データに対して設定された前記保管レベルを表示させる表示制御手段、として機能させるものである。
【０００９】
また、本発明の表示プログラムは、コンピュータを、１以上の記録先に記録された画像データを特定するための保管情報を所定のファイルに記録する保管情報記録手段、前記所定のファイルに記録された前記保管情報に基づいて、前記画像データが安全に保管されているかを段階的に示す保管レベルを設定する保管レベル設定手段、前記画像データに関連する情報を表示手段に表示させる際に、該情報に対応付けて、前記画像データに対して設定された前記保管レベルを表示させる表示制御手段、として機能させるものである。
【００１０】
また、本発明の表示プログラムは、コンピュータを、１以上の記録先に記録された画像データを特定するための保管情報を取得する保管情報取得手段、取得した前記保管情報に基づいて、前記画像データが安全に保管されているかを段階的に示す保管レベルを設定する保管レベル設定手段、前記画像データに関連する情報を表示手段に表示させる際に、該情報に対応付けて、前記画像データに対して設定された前記保管レベルを表示させる表示制御手段、として機能させるものである。
【００１１】
本発明においては、前記保管レベル設定手段では、前記画像データが記録された記録先の種別に応じて、前記保管レベルを設定する構成とすることができる。
【００１２】
また、本発明においては、前記保管情報は、各々の前記記録先における前記画像データの記録場所と、各々の前記記録先における前記画像データのファイル名とを含むことが好ましい。
【００１３】
また、本発明においては、前記画像データに関連する情報とは、前記画像データに基づく画像、前記画像データが格納されたフォルダを特定する情報、又は、前記画像データが記録された記録先を特定する情報のいずれかを含むことが好ましい。
【００１４】
また、本発明においては、前記１以上の記録先は、記録媒体、ハードディスク、ｗｅｂ上のサーバの中から選択される構成とすることができる。
【００１５】
このように、本発明では、所定の記録先に記録されている画像データに関連する情報を表示手段に表示させる際に、該画像データに対して設定された保管レベルが対応付けて表示されるため、この保管レベルを参照して画像データが安全に保管されているか否かを簡単に判別することができる。
【発明の効果】
【００１６】
本発明の表示プログラムによれば、画像データが安全に保管されているか否かを簡単に判別することができる。
【００１７】
その理由は、１以上の記録先に記録された画像データを特定するための保管情報に基づいて、該画像データが安全に保管されているかを段階的に示す保管レベルが設定され、記録媒体やハードディスク、ｗｅｂ上のサーバなどの所定の記録先に記録されている画像データに関連する情報を表示手段に表示させる際に、該画像データに対して設定された保管レベルが対応付けて表示されるため、ユーザはこの保管レベルを参照して画像データの保管状態を認識することができるからである。
【発明を実施するための最良の形態】
【００１８】
本発明に係る表示プログラムは、その好ましい一実施の形態において、コンピュータを、１以上の記録先に記録された画像データを特定するための保管情報を保管情報ファイルに記録する保管情報記録手段、又は、１以上の記録先に記録された画像データを特定するための保管情報を取得する保管情報取得手段、保管情報に基づいて、画像データが安全に保管されているかを段階的に示す保管レベルを設定する保管レベル設定手段、画像データに基づく画像や、該画像データが格納されているフォルダを特定する情報、該画像データが記録されている記録先を特定する情報を表示手段に表示させる際に、画像データに対して設定された保管レベルを対応付けて表示させる表示制御手段として機能させる。これにより、データの保管状態を認識することができるため、画像データが安全に保管されているか否かを簡単に判別することができる。
【実施例１】
【００１９】
上記実施形態について詳細に説明すべく、本発明の第１の実施例に係る表示プログラムについて、図１乃至図１８を参照して説明する。図１は、本実施例に係る記録装置の構成を模式的に示す図であり、図２乃至図５は、そのバリエーションを示す図である。また、図６は、記録装置の手段を示すブロック図であり、図７及び図８は、本実施例に係る記録装置を用いた処理の手順を示すフローチャート図である。また、図９及び図１０は、記録媒体におけるデータの記録構造を示す図であり、図１１及び図１２は、保管情報ファイルの構成例を示す図である。また、図１３は、記録媒体（ＣＤ−Ｒ）の構造を模式的に示す図であり、図１４乃至図１８は、記録装置の表示手段に表示される画面構成例を示す図である。
【００２０】
図１及び図６に示すように、本実施例の記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２や、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９を装填する記録媒体装填部４等を用いて画像データ（静止画像データ、動画データ、画像情報を含むデータを総称して画像データと呼ぶ。）を入力するデータ入力手段１３と、入力された画像データ又はその中から選択された画像データに基づいて、ＤＶＤプレーヤやＤＶＤレコーダ、ＨＤＤレコーダ、ゲーム機などの家電機器で再生可能な家電機器用データを生成したり、サムネイル画像データやスクリーンネイル画像データなどの縮小画像データを生成するデータ生成手段１４と、記録媒体装填部４に装填された記録媒体９や、ハードディスク１０などの記憶手段、インターネット等の通信ネットワーク１１を介して接続されるサーバ１２などの１以上の記録先に画像データを記録する記録制御手段１５と、１以上の記録先に記録された画像データを特定するための情報（以下、保管情報と呼ぶ。）を保管情報ファイルに記録する保管情報記録手段１６と、保管情報ファイルに記録された保管情報に基づいて、画像データが安全に保管されているかを段階的に示す指標（以下、保管レベルと呼ぶ。）を設定する保管レベル設定手段１７と、画像データに基づく画像や、該画像データが格納されたフォルダと特定する情報（例えば、フォルダ名称）、該画像データが記録された記録先を特定する情報（例えば、記録媒体９の識別情報）などの画像データに関連する情報を表示手段に表示させる際に、画像やフォルダ、記録先に対応付けて、該画像データに対して設定された保管レベルを表示させる表示制御手段１８と、ＬＣＤ、ＣＲＴ等の表示手段５及びボタン、キーボード、マウス等の操作手段６と、を備えている。
【００２１】
なお、上記各手段は記録装置１にハードウェアとして構成されていてもよいが、コンピュータを、保管レベル設定手段１７と表示制御手段１８、又は、保管情報記録手段１６と保管レベル設定手段１７と表示制御手段１８として機能させる表示プログラムとして構成し、該プログラムを記録装置１上で機能させる構成としてもよい。
【００２２】
また、図１では、記録装置１で画像データの記録と、画像データに関連する情報の表示とを行う構成としているが、記録と表示とを別々の装置で実行させる構成としてもよい。また、記録装置１の形態は任意であり、例えば、図２に示すように専用のセットトップボックスとしたり、図３に示すようにポータブルライターとしたり、図４に示すように演算処理機能を備えたＤＶＤレコーダやＨＤＤレコーダなどとしたり、図５に示すように、ハードディスクを備えた端末と画像データの読み取りや書き込みを行う本体とが分離可能な携帯機器としたり、演算処理機能を備えたカーナビゲーション機器などとすることもできる。
【００２３】
次に、本実施例の記録装置１を用いて画像データを１以上の記録先に記録する手順について、図７のフローチャート図を参照して説明する。
【００２４】
まず、記録装置１に予めインストールされている所定の記録プログラムを起動すると、表示手段５に図１４に示すような画像データの記録先を選択するための記録先選択画面１９が表示される。この記録先選択画面１９には、画像データを記録媒体９のみに記録するのか、記録媒体９に加えて、ハードディスク１０やサーバ１２に記録するのかを選択するための記録先選択ボタンが表示され、ステップＳ１０１で、ユーザは所望の記録先を選択する。なお、ここでは画像データの記録先として、記録媒体９とハードディスク１０とサーバ１２の３つを表示しているが、複数の記録先の中から１以上の記録先を選択できる構成であればよい。また、以下の説明では記録媒体９が記録先として含まれるようにしているが、例えば、ハードディスク１０とサーバ１２など、記録媒体９以外の記録先のみを選択できるようにしてもよい。
【００２５】
次に、記録先を選択すると、表示手段５に画像データの入力を促すメッセージが表示され、ステップＳ１０２で、記録装置１のメディア装填部２にメディア８を装填、又は、機器接続部３にデジタルカメラ７やカメラ付き携帯電話機７ａを接続すると、ステップＳ１０３で、データ入力手段１３は、デジタルカメラ７やメディア８などに記録された画像データを読み取る。ここで、読み取る画像データはデジタルカメラ７で撮影して得られた画像データに限定されず、ネガフィルムや写真プリントをスキャンして得られた画像データや、ビデオテープレコーダなどから得られた動画データ、動画をキャプチャして得られた静止画像データなどであってもよく、読み取り先もＣＤ−ＲやＤＶＤ−Ｒなどの記録媒体や通信ネットワーク１１を介して接続されるサーバ１２などであってもよい。
【００２６】
次に、画像データの読み取りが終了すると、表示手段５に図１５に示すようなスライドショーを作成するためのスライドショー設定画面２０が表示される。このスライドショー設定画面２０には、読み取った画像データの縮小画像を一覧表示する一覧表示欄２１と、選択した画像データを拡大表示する拡大表示欄２２と、画像データを記録するまでの一連の手順を示す作業メニュー欄２３とが表示され、必要に応じて、ユーザは画像データを選択したり、画像を回転させるなどの編集を行ったり、表示する順番を変更したり、文字を挿入したり、ＢＧＭとなる音楽を選択するなどの作業を行う。
【００２７】
次に、必要に応じて、ステップＳ１０４で、データ生成手段１４を用いて、読み取った画像データに基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。また、読み取った画像データのデータサイズを縮小したサムネイル画像データやスクリーンネイル画像データなどの縮小画像データを作成する。なお、ここでは、家電機器用データと縮小画像データの双方を作成しているが、いずれか一方のデータのみを作成してもよいし、縮小画像データとしてサムネイル画像データ又はスクリーンネイル画像データの一方のみを作成してもよい。
【００２８】
次に、ステップＳ１０５で、記録媒体装填部４に記録媒体９を装填する。この記録媒体９として市販されている任意の記録媒体を用いることができるが、特定の記録媒体に対してのみデータの記録が行われるようにしてもよく、その場合は、ステップＳ１０６で、記録媒体９の所定の領域に該記録媒体９を識別するための識別情報が記録されているかを調べ、識別情報が記録されている場合に特定の記録媒体９と判断する。この識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００２９】
ここで、一般的な記録媒体９（ＣＤ−Ｒ）の構造について、図１３を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００３０】
次に、記録制御手段１５を用いて記録媒体装填部４に装填された記録媒体９に画像データを記録するが、その際、家電機器ではデータを読み込むことができる記録領域が限定されるため、家電機器用データを記録する場合は、ステップＳ１０７で、生成した家電機器用データを記録媒体９の論理アドレス領域の内周側に書き込み、必要に応じてセッションをクローズした後、ステップＳ１０８で、読み取った画像データや、必要に応じて縮小画像データ、アプリケーション、識別情報などが記述された管理データなどを記録媒体９の先に記録した家電機器用データの外側に書き込む。なお、この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００３１】
次に、ステップＳ１０９で、記録先としてハードディスク１０が選択されているかを判断し、ハードディスク１０が選択されている場合は、ステップＳ１１０で、記録制御手段１５を用いて、記録媒体９に記録した画像データをハードディスク１０にバックアップする。なお、記録媒体９に記録した画像データの全てをそのままハードディスク１０にバックアップしてもよいし、少なくとも元の画像データを含む一部の画像データのみ（例えば、元の画像データや、元の画像データと縮小画像データ、元の画像データと家電機器用データなど）をバックアップしてもよい。また、ハードディスク１０にバックアップする画像データは記録媒体９に記録された画像データと実質的に同一（すなわち、画像情報が略同一）であればよく、ファイル名やフォルダ名、フォルダの階層構造などを変更してもよいし、画像の解像度や色情報などを変更してもよい。
【００３２】
次に、ステップＳ１１１で、記録先としてサーバ１２が選択されているかを判断し、サーバ１２が選択されている場合は、ステップＳ１１２で、記録制御手段１５を用いて、記録媒体９に記録した画像データをサーバ１２に送信してバックアップする。なお、上記と同様に、記録媒体９に記録した画像データをそのままサーバ１２にバックアップしてもよいし、少なくとも元の画像データを含む一部の画像データのみを記録してもよい。また、サーバ１２にバックアップする画像データも記録媒体９に記録された画像データと実質的に同一であればよく、ファイル名やフォルダ名、フォルダの階層構造などを変更してもよいし、画像の解像度や色情報などを変更してもよい。
【００３３】
次に、ステップＳ１１３で、保管情報記録手段１６は、記録媒体９やハードディスク１０、サーバ１２などの１以上の記録先に記録された画像データを特定するための保管情報を保管情報ファイルに記録し、該保管情報ファイルをハードディスク１０に記録して一連の処理を終了する。この保管情報ファイルには、各々の記録先に記録された画像データの記録場所や各々の記録先に記録された画像データのファイル名などが記述され、実質的に同一の画像データがどの記録先にどのようなファイル名で記録されているのかが識別できるように構成されている。なお、保管情報ファイルの形式は任意であり、テキスト形式などとしてもよいし、写真業界で推奨されるファイル形式（pvm形式）としてもよいし、メタデータとしてもよい。
【００３４】
上記手順で作成された記録媒体９のディレクトリ構造は図９（ａ）に示すようになり、画像データの格納場所を示すフォルダ（PS_Rollフォルダ）内に元の画像データや必要に応じて縮小画像データ、管理データ（index.pvm）などが記録され、APPLフォルダ内に必要に応じてスライドショープログラムやスライドショーの設定ファイルなどが記録され、これらでコンピュータ機器用データが構成される。また、Ｖｉｄｅｏ−ＣＤ形式のデータを生成した場合は図９（ａ）に示すように、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで家電機器用データが構成され、ＤＶＤ−Ｖｉｄｅｏ形式のデータを生成した場合は図９（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで家電機器用データが構成される。
【００３５】
また、ハードディスク１０のディレクトリ構造は図１０（ａ）に示すようになり、所定の階層に保管情報が記述された保管情報ファイル（info.txt）が記録されると共に、記録媒体９と同様に、画像データの格納場所を示すフォルダ（PS_Rollフォルダ）内に、元の画像データや必要に応じて縮小画像データなどが記録され、Ｖｉｄｅｏ−ＣＤ形式のデータを生成した場合は図１０（ａ）に示すように、”VCD”フォルダ、”SEGMENT”フォルダ、”MPEGAV”フォルダ、”DAT”フォルダ内に家電機器用データが記録され、ＤＶＤ−Ｖｉｄｅｏ形式のデータを生成した場合は図１０（ｂ）に示すように、”VIDEO_TS”フォルダ内にビデオマネージャ（ＶＭＧ）とビデオタイトルセット（ＶＴＳ）などに家電機器用データが記録される。
【００３６】
また、サーバ１２にも、記録媒体９と同様に、画像データの格納場所を示すフォルダ（PS_Rollフォルダ）内に、元の画像データや必要に応じて縮小画像データなどが記録され、Ｖｉｄｅｏ−ＣＤ形式のデータを生成した場合は”VCD”フォルダ、”SEGMENT”フォルダ、”MPEGAV”フォルダ、”DAT”フォルダ内に家電機器用データが記録され、ＤＶＤ−Ｖｉｄｅｏ形式のデータを生成した場合は”VIDEO_TS”フォルダ内にビデオマネージャ（ＶＭＧ）とビデオタイトルセット（ＶＴＳ）などに家電機器用データが記録される。
【００３７】
上記フォルダ構造やフォルダ名称、ファイル名称などは任意であるが、記録構造を認識しやすくするために、画像データの格納場所を示すフォルダ（PS_Roll）の下位の階層にメディア８毎、機器毎、フィルム毎のデータの格納場所を示すフォルダを設け、該フォルダの名称をROYYMMDDyyy_XXXXXXAABxxx（YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）としたり、各々のデータのファイル名称をCCYYMMDDxxxxxx（CC：データの種別、YYMMDD：書き込み年月日を特定する数字、xxxxxx：シーケンシャル番号）などとすることができる。
【００３８】
上記命名ルールで設定されたファイル名やフォルダ名で記録媒体９やハードディスク１０、サーバ１２に画像データが記録されている場合、保管情報ファイルには、例えば、図１１に示すように、各々の記録先（ここでは記録媒体９とハードディスク１０とサーバ１２）に記録された画像データ（ここでは元の画像データとサムネイル画像データとスクリーンネイル画像データ）の記録場所やファイル名などの保管情報が記録される。
【００３９】
なお、図９及び図１０では、記録媒体９とハードディスク１０とサーバ１２に同じフォルダ構造で、同じファイル名の画像データを記録しているが、各々の記録先でフォルダ構造やフォルダ名、ファイル名を変更してもよい。その場合は、保管情報ファイルには、各々の記録先に記録されている画像データがどのように関連付けられているかを識別できるようにするために、例えば、図１２に示すように、各々の画像データに関連付けられている画像データの記録場所やファイル名などの情報（ここでは”Relational File”の情報）を記述することが好ましい。また、図１１では、保管情報ファイルに画像データの記録場所やファイル名などを記述したが、保管情報ファイルには、各々の記録先に記録されている画像データを特定するための情報が記述されていればよく、例えば、複数の記録先に同じ記録構造で画像データが記録されている場合は、複数の記録先を特定する情報（識別情報など）のみを保管情報ファイルに記述する構成とすることもできる。
【００４０】
また、図９及び図１０では、ハードディスク１０にのみ保管情報ファイルを記録したが、複数の記録先（例えば、ハードディスク１０と記録媒体９など）に保管情報ファイルを記録してもよい。その場合に、各々の記録先に同じ内容の保管情報が記述された保管情報ファイルを記録してもよいし、該保管情報ファイルが記録される記録先に記録された画像データを特定するための保管情報のみが記述された保管情報ファイルを各々記録してもよい。
【００４１】
次に、上記手順で１以上の記録先に記録された画像データに関連する情報を表示する手順について、図８のフローチャート図を参照して説明する。
【００４２】
まず、ステップＳ２０１で、本実施例の表示プログラムを起動し、ステップＳ２０２で記録装置１の記録媒体装填部４に上記手順で作成した記録媒体９を装填すると、ステップＳ２０３で、データ入力手段１３は、記録媒体９に記録された画像データを読み取る。
【００４３】
ここで、従来の表示プログラムでは、表示手段５に、読み取った画像データに基づく画像を表示するだけであり、その記録媒体９に記録されている画像データが他の記録先にもバックアップされているかを判別することができなかったため、ユーザはそのデータが安全に保管されているかを判断することができないという問題があった。そこで、本実施例では、該画像データが他の記録先にもバックアップされているかを判別できるようにするために、画像やフォルダ、記録先などの画像データに関連する情報に対応付けて保管レベルを表示する。
【００４４】
具体的には、ステップＳ２０４で、保管レベル設定手段１７は、上記手順でハードディスク１０などに記録された保管情報ファイル（info.txt）を読み取り、ステップＳ２０５で、保管情報ファイルの記述を参照して、読み取った画像データが記録媒体９のみに記録されているのか、記録媒体９以外の記録先にも記録されているのかなどの保管状態を判別する。例えば、図１１や図１２に示す保管情報ファイルを参照して、該記録媒体９に記録された画像データがバックアップされている記録先が存在するか、記録媒体９に記録された画像データの一部がバックアップされている場合は、フォルダ毎又はファイル毎にバックアップデータが存在するかなどを調べる。
【００４５】
次に、ステップＳ２０６で、保管レベル設定手段１７は、上記ステップで取得した保管情報に基づいて、予め定められたルールに従って保管レベルを設定する。具体的には、例えば、画像データが記録媒体９のみに記録されている場合は画像データが安全に保管されているとは言えないことから保管レベルを”１”に設定し、画像データが記録媒体９とハードディスク１０の２カ所に記録されている場合は安全度が増していると考えられることから保管レベルを”２”に設定し、画像データが記録媒体９とサーバ１２の２カ所に記録されている場合はハードディスク１０よりもサーバ１２の方が安全性が高いと考えられることから保管レベルを”３”に設定し、画像データが記録媒体９とハードディスク１０とサーバ１２の３カ所に記録されている場合は画像データが最も安全に保管されていると考えられることから保管レベルを”４”に設定する。
【００４６】
なお、保管レベルは任意に設定することができ、記録先の数に応じて設定（記録先が３つの場合は１〜３など）したり、縮小画像データや家電機器用データの有無を加味して更に細分化してもよい。
【００４７】
次に、ステップＳ２０７で、表示制御手段１８は、表示手段５に図１６に示すようなアルバム表示画面２４を表示させる。このアルバム表示画面２４には、画像データの提供元の記録先を示すタグ表示欄２５と、選択した記録先に記録されている画像データの縮小画像を一覧表示する一覧表示欄２６と、表示された画像データに対して行う処理が表示される作業メニュー欄２７とが表示される。
【００４８】
その際、本実施例では、画像データの保管状態をユーザに認識させるために、タグ表示欄２５には各々の記録先に対して、上記手順で設定した保管レベルを表示する。例えば、上記手順で作成された記録媒体９（タグ表示欄２５の最上段の記録媒体９）は、該画像データが３つの記録先に記録されていることから、記録媒体９を特定する情報に対応付けて保管レベル（ここでは保管レベル４）を表示する。
【００４９】
ここで、図１６では、タグ表示欄２５に表示される記録先に対して保管レベルを表示しているが、例えば、画像データの一部が他の記録先に記録されている場合は、図１７に示すように、タグ表示欄２５のフォルダ毎に保管レベルを表示したり、一覧表示欄２６の画像毎に保管レベルを表示することもできる。この場合、タグ表示欄２５や一覧表示欄２６に常に保管レベルを表示してもよいし、カーソルを移動させるとカーソル位置のフォルダやファイルに対して保管レベルを示すサブ画面が表示されるようにしてもよい。
【００５０】
なお、保管レベルの表示形態は任意であり、ユーザが保管レベルを識別できるように表示されていればよく、図１６及び図１７のように保管レベルを数字で表示してもよいし、図１８（ａ）に示すように保管レベルを一見して認識できるような言葉で表示してもよいし、図１８（ｂ）に示すように記号やイラストなどで表示してもよいし、図１８（ｃ）に示すように他の記録先を示すイラストなどを表示してもよい。
【００５１】
そして、ユーザは保管レベルを参照して、保管レベルが低い場合に、ステップＳ２０８で、他の記録先に画像データをバックアップするかを選択し、バックアップする場合は、ステップＳ２０９で、作業メニュー欄２７に設けられたバックアップボタン（”ＨＤＤにバックアップ”、”サーバにバックアップ”など）を押下する。すると、ステップＳ２１０で選択された記録先に選択された画像データ（記録媒体９単位でも、フォルダ単位でも、ファイル単位でもよい。）がバックアップされ、その後、ステップＳ２１１で、保管情報記録手段１６は、保管情報ファイルに新たな記録先の保管情報を追加して保管情報ファイルを更新し、ステップＳ２０５に戻って、保管レベル設定手段１７は保管情報に基づいて保管状態を識別して保管レベルを再設定する。
【００５２】
なお、上記フローでは、記録媒体９に記録された画像データを表示させる場合の手順を示したが、ハードディスク１０やサーバ１２などの他の記録先に記録された画像データに関連する情報を表示させる場合でも、記録先やフォルダ、各々の画像に対応付けて保管レベルを表示することができる。
【００５３】
このように、本実施例では、１以上の記録先に記録された画像データを特定するための保管情報を保管情報ファイルに記録し、保管情報ファイルに記録された保管情報に基づいて、該画像データが安全に記録されているかを段階的に示す保管レベルを設定し、所定の記録先に記録された画像データに関連する情報を表示する際に、該情報に対応付けて、その画像データに対して設定された保管レベルを表示するため、この保管レベルを参照して画像データの保管状態を認識することができ、これにより、画像データが安全に保管されているか否かを簡単に判別することができる。
【実施例２】
【００５４】
次に、本発明の第２の実施例に係る表示プログラムについて、図１９及び図２０を参照して説明する。図１９は、本実施例に係る記録装置の手段を示すブロック図であり、図２０は、本実施例に係る記録装置を用いたデータの表示手順を示すフローチャート図である。
【００５５】
前記した第１の実施例では、１以上の記録先に画像データを記録する際に、各々の記録先に記録された画像データの記録場所やファイル名などの保管情報を記述した保管情報ファイルを作成したが、画像やフォルダ、記録先などを表示する際に、各々の記録先から画像データの記録場所やファイル名などの保管情報を取得することもできる。その場合の構成について以下に説明する。
【００５６】
図１９に示すように、本実施例の記録装置１は、メディア装填部２や機器接続部３、記録媒体装填部４等を用いて画像データを入力するデータ入力手段１３と、入力された画像データ又はその中から選択された画像データに基づいて家電機器用データや縮小画像データを生成するデータ生成手段１４と、記録媒体９やハードディスク１０などの記憶手段、通信ネットワーク１１を介して接続されるサーバ１２などに画像データを記録する記録制御手段１５と、１以上の記録先に記録された画像データを特定するための保管情報を取得する保管情報取得手段２８と、保管情報を参照して、画像データが安全に保管されているかを段階的に示す保管レベルを設定する保管レベル設定手段１７と、画像データに基づく画像や、該画像データが格納されたフォルダを特定する情報、該画像データが記録された記録先を特定する情報を表示手段に表示させる際に、画像やフォルダ、記録先に対応付けて、該画像データに対して設定された保管レベルを表示させる表示制御手段１８と、ＬＣＤ、ＣＲＴ等の表示手段５及びボタン、キーボード、マウス等の操作手段６と、を備えている。
【００５７】
なお、上記各手段は記録装置１にハードウェアとして構成されていてもよいが、コンピュータを、保管レベル設定手段１７と表示制御手段１８、保管情報取得手段２８と保管レベル設定手段１７と表示制御手段１８として機能させる表示プログラムとして構成し、該プログラムを記録装置１上で機能させる構成としてもよい。
【００５８】
次に、上記手順で１以上の記録先に記録された画像データに関連する情報を表示する手順について、図２０のフローチャート図を参照して説明する。
【００５９】
まず、ステップＳ３０１で、本実施例の表示プログラムを起動し、ステップＳ３０２で記録装置１の記録媒体装填部４に上記手順で作成した記録媒体９を装填すると、ステップＳ３０３で、データ入力手段１３は、記録媒体９に記録された画像データを読み取る。
【００６０】
次に、ステップＳ３０４で、保管情報取得手段２８は、予め設定された他の記録先（ここではハードディスク１０とサーバ１２）にアクセスして、記録媒体９と同じ記録構造の画像データが存在するか、記録媒体９に記録された画像データに対応する画像データやフォルダが存在するかを調べて、画像データの保管情報を取得する。
【００６１】
次に、ステップＳ３０５で、保管レベル設定手段１７は、取得した保管情報を参照して、読み取った画像データが記録媒体９のみに記録されているのか、記録媒体９以外の記録先にも記録されているのかなどの保管状態を識別し、ステップＳ３０６で、予め定められたルールに従って保管レベルを設定する。
【００６２】
次に、ステップＳ３０７で、表示制御手段１８は、表示手段５に図１６乃至図１８に示すようなアルバム表示画面２４を表示させる。その際、画像データの保管状態をユーザに認識させるために、タグ表示欄２５には各々の記録先に対して、上記手順で設定した保管レベルを表示し、また、画像データの一部が他の記録先に記録されている場合は、タグ表示欄２５のフォルダ毎に保管レベルを表示したり、一覧表示欄２６の画像毎に保管レベルを表示する。
【００６３】
なお、第１の実施例と同様に、保管レベルは任意に設定することができる。また、保管レベルの表示形態も任意であり、ユーザが保管レベルを識別できるように表示されていればよく、保管レベルを数字で表示してもよいし、保管レベルを一見して認識できるような言葉で表示してもよいし、記号やイラストなどで表示してもよいし、他の記録先を示すイラストなどで表示してもよい。
【００６４】
そして、ユーザは保管レベルを参照して、保管レベルが低い場合に、ステップＳ３０８で、他の記録先に画像データをバックアップするかを選択し、バックアップする場合は、ステップＳ３０９で、作業メニュー欄２７に設けられたバックアップボタンを押下すると、ステップＳ３１０で選択された記録先に選択された画像データがバックアップされ、ステップＳ３０４に戻って、保管情報取得手段２８は所定の記録先から保管情報を取得し、保管レベル設定手段１７は保管情報に基づいて保管状態を識別して保管レベルを再設定する。
【００６５】
このように、本実施例では、１以上の記録先に記録された画像データを特定する保管情報を取得し、取得した保管情報に基づいて、該画像データが安全に保管されているかを段階的に示す保管レベルを設定し、所定の記録先に記録された画像データに関連する情報を表示する際に、該情報に対応付けて、その画像データに対して設定された保管レベルを表示するため、この保管レベルを参照して、画像データの保管状態を認識することができ、これにより、画像データが安全に保管されているか否かを簡単に判別することができる。
【００６６】
なお、上記実施例では、画像データに関連するデータをバックアップする場合について記載したが、本発明は上記実施例に限定されるものではなく、音楽データなどの他の種類のデータに関連するデータをバックアップする場合に対しても同様に適用することができる。
【図面の簡単な説明】
【００６７】
【図１】本発明の第１の実施例に係る記録装置の構成を示す外観図である。
【図２】本発明の第１の実施例に係る記録装置の他の構成を示す図である。
【図３】本発明の第１の実施例に係る記録装置の他の構成を示す図である。
【図４】本発明の第１の実施例に係る記録装置の他の構成を示す図である。
【図５】本発明の第１の実施例に係る記録装置の他の構成を示す図である。
【図６】本発明の第１の実施例に係る記録装置の手段を示すブロック図である。
【図７】本発明の第１の実施例に係る記録装置を用いたデータの記録手順を示すフローチャート図である。
【図８】本発明の第１の実施例に係る記録装置を用いたデータの表示手順を示すフローチャート図である。
【図９】本発明の第１の実施例の記録媒体の記録構造を示す図である。
【図１０】本発明の第１の実施例の記憶手段の記録構造を示す図である。
【図１１】本発明の第１の実施例の保管情報ファイルの構成例を示す図である。
【図１２】本発明の第１の実施例の保管情報ファイルの他の構成例を示す図である。
【図１３】記録媒体（ＣＤ−Ｒ）の構造を模式的に示す図である。
【図１４】本発明の第１の実施例に係る記録装置の表示手段に表示される画面構成例（記録先選択画面）を示す図である。
【図１５】本発明の第１の実施例に係る記録装置の表示手段に表示される画面構成例（スライドショー設定画面）を示す図である。
【図１６】本発明の第１の実施例に係る記録装置の表示手段に表示される画面構成例（アルバム表示画面）を示す図である。
【図１７】本発明の第１の実施例に係る記録装置の表示手段に表示されるアルバム表示画面の他の例を示す図である。
【図１８】本発明の第１の実施例に係る記録装置の表示手段に表示されるアルバム表示画面の他の例を示す図である。
【図１９】本発明の第２の実施例に係る記録装置の手段を示すブロック図である。
【図２０】本発明の第２の実施例に係る記録装置を用いたデータの表示手順を示すフローチャート図である。
【符号の説明】
【００６８】
１  記録装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  ハードディスク
１１  通信ネットワーク
１２  サーバ
１３  データ入力手段
１４  データ生成手段
１５  記録制御手段
１６  保管情報記録手段
１７  保管レベル設定手段
１８  表示制御手段
１９  記録先選択画面
２０  スライドショー設定画面
２１  一覧表示欄
２２  拡大表示欄
２３  作業メニュー欄
２４  アルバム表示画面
２５  タグ表示欄
２６  一覧表示欄
２７  作業メニュー欄
２８  保管情報取得手段
１００  ポリカーボネート基板
１０１  有機色素層
１０２  反射層
１０３  保護層
【図１】
2007025858.tif 000003
【図２】
2007025858.tif 000004
【図３】
2007025858.tif 000005
【図４】
2007025858.tif 000006
【図５】
2007025858.tif 000007
【図６】
2007025858.tif 000008
【図７】
2007025858.tif 000009
【図８】
2007025858.tif 000010
【図９】
2007025858.tif 000011
【図１０】
2007025858.tif 000012
【図１１】
2007025858.tif 000013
【図１２】
2007025858.tif 000014
【図１３】
2007025858.tif 000015
【図１４】
2007025858.tif 000016
【図１５】
2007025858.tif 000017
【図１６】
2007025858.tif 000018
【図１７】
2007025858.tif 000019
【図１８】
2007025858.tif 000020
【図１９】
2007025858.tif 000021
【図２０】
2007025858.tif 000022